(57)【要約】【課題】ドラム式洗濯機において、泡起動などの脱水時の問題を回避し、所定のすすぎ性を確保しつつ、脱水時間の短縮を図ることができる洗濯機を実現する。【解決手段】水槽１９の内底部に排水口３１を設け、その排水口３１の近傍に洗濯水を収集して排水口３１へ案内する誘導面４６を有する誘導体４５を配設し、これにより、脱水工程時に水槽１９の内底部に洗濯水が溜まった場合や、水槽１９と回転ドラム１７の間に洗濯泡が充満した場合でも、洗濯水と洗濯泡は、誘導体４５の誘導面４６により、排水口３１の方向へ整流され、速やかに排出されることとなり、所定のすすぎ性能、脱水性能を実現させるドラム式洗濯機を提供することができる。【選択図】図１
2006130199.tif 000002
【特許請求の範囲】
【請求項１】
水槽内に回転自在に配設され、その回転中心軸が水平もしくは水平から傾斜した回転ドラムと、前記水槽の底部に設けた排水口と、前記回転ドラムを回転駆動するモータと、前記水槽内に洗濯水を給水する給水手段と、前記水槽内の洗濯水を排水する排水手段と、前記モータ、給水手段および排水手段等を制御して洗濯、すすぎ、脱水等の各工程を実行する制御手段とを備え、前記水槽の内底部には、脱水工程時において、洗濯水を収集して前記排水口へ案内する誘導面を有する誘導体を設けたドラム式洗濯機。
【請求項２】
誘導体は、排水口に対し脱水工程時における回転方向の下流側で前記排水口の近傍に設けられ、前記誘導体の誘導面は、その上端が回転ドラムの脱水工程時における回転方向の上流側に向くように傾斜させた請求項１記載のドラム式洗濯機。
【請求項３】
排水口は、誘導面を挟んで回転ドラムの脱水工程時における回転方向の上流側と下流側のそれぞれに設けた請求項１又は２に記載のドラム式洗濯機。
【請求項４】
誘導体の誘導面は、上方に凸となるように、湾曲面、もしくは連続した複数の面で構成した請求項１〜３のいずれか１項に記載のドラム式洗濯機。
【請求項５】
水槽の内底部には、回転中心軸方向に長い凹状の排水溝を設け、前記排水溝の底部に排水口を設けた請求項１記載のドラム式洗濯機。
【請求項６】
誘導体は、排水口に対し脱水工程時における回転方向の下流側で前記排水口の近傍に回転中心軸を通る垂直面に対し略平行な面を有する壁部と前記壁部の上端部から延設され前記排水口の少なくとも一部を覆う鍔部とからなる誘導面と、前記排水口を挟んで前記誘導面の対向位置に排水溝の上部から底部の排水口近傍にかけて傾斜した傾斜面とから構成された請求項５記載のドラム式洗濯機。
【請求項７】
誘導体の誘導面と傾斜面は一体に形成され、排水溝に装着固定されるようにした請求項６記載のドラム式洗濯機。
【請求項８】
制御手段は、洗濯工程の初期において、回転ドラムを洗濯物が前記回転ドラムの内壁に張り付く程度の回転速度で回転させる洗濯泡生成工程を有し、前記洗濯泡生成工程における回転ドラムの回転方向は、脱水工程時における回転方向と逆方向とした請求項１〜７のいずれか１項に記載のドラム式洗濯機。
【発明の詳細な説明】
【技術分野】
【０００１】
本発明は回転ドラム内で衣類の洗濯などを行うドラム式洗濯機に関するものである。
【背景技術】
【０００２】
従来、この種のドラム式洗濯機は図１のように構成していた。以下その構成を説明する。
【０００３】
図７に示すように、ドラム１は、外周部に多数の通水孔２を全面に設け、水槽３内に回転自在に配設している。ドラム１の回転中心に回転軸４の一端を固定し、回転軸４の他端にドラムプーリー５を固定している。モータ６は、ベルト７によりドラムプーリー５と連結し、ドラム１を回転駆動する。ドラム１の開口部に蓋８を開閉自在に設けている。水槽３は、洗濯機本体９よりばね体１０で吊り下げ、防振ダンパー１１により脱水時の振動が洗濯機本体９に伝達されないように防振支持するとともに、脱水時の振動を低減する重り１２を設けている。給水弁１３は、水槽３内に洗濯水を給水するもので、排水ポンプ１４は、水槽３内の洗濯水を排水するものである。ヒータ１５は、水槽３内の洗濯水を加熱するものである。制御装置１６は、モータ６、給水弁１３、排水ポンプ１４、ヒータ１５などの動作を制御し、洗濯、すすぎ、脱水などの一連の工程を逐次制御する（例えば、特許文献１参照）。
【０００４】
以上のように構成されたドラム式洗濯機の動作を以下に説明する。
【０００５】
蓋８を開いてドラム１内に洗濯物を投入し、運転を開始すると、洗濯工程では、給水弁１３を駆動して水槽３内に洗濯水を給水する。洗濯水の水位が所定水位に達すると給水弁１３の駆動を停止し、給水を終了する。その後、ドラム１はモータ６によって低速で回転駆動され、ドラム１内の洗濯物は持ち上げられて水面上に落下される。こうして洗濯工程が進行する。洗濯工程を所定時間行った後、排水ポンプ１４を駆動して水槽３内の洗濯水を排水し、中間脱水を行い、その後のすすぎ工程を行う。そのすすぎ工程においても洗濯工程と同様の動作を行う。脱水工程では、ドラム１は高速で回転駆動され、洗濯物は遠心脱水される。
【特許文献１】特開平１０−２０１９８８号公報
【発明の開示】
【発明が解決しようとする課題】
【０００６】
しかしながら、このような従来の脱水制御では、上述のように、脱水運転の初期に低速回転又は間欠回転を行い、洗濯物に含まれる洗剤水を徐々に取り除くのであるが、排水ホースの引き回しや、洗濯物の種類による水の抜けやすさなどの様々な影響を受け、排水時に水槽の底部に水が溜まることを完全に防ぐことができないという問題を有していた。
【０００７】
また、排水条件や排水能力に関係する条件は、投入する洗剤の種類やその量、洗濯物に付着した汚れの種類など、そのときどきの洗濯の対象物や使用環境などによって大きく異なってくるため、それら各々の最悪の条件を想定した上での対策を取ることになる。そのため、実際には、低速回転又は間欠回転の時間が過剰になっていることが殆どであって、脱水所要時間の短縮化を阻むという問題を有していた。
【０００８】
また、洗濯工程でドラム内の洗濯物が絡み合った状態で脱水工程に入ると、脱水工程でドラム内の洗濯物が均等に分布しないためアンバランスが生じ、アンバランス状態で脱水を開始すると、水槽などの振動共振点に対応する回転数で大きな振動が発生し、その結果、水槽内の洗濯水が回転ドラムと接触しやすくなり、泡による起動不良状態になりやすくなると同時に、ドラムの回転数を振動共振点に対応する回転数より加速させることができず、所定のすすぎ性能、脱水性能が得られないという問題を有していた。
【０００９】
本発明は、上記従来の課題を解決するもので、泡による起動不良などの脱水時の問題を回避し、所定のすすぎ性能を確保しつつ、脱水時間の短縮を図ることができるドラム式洗濯機を提供することを目的としている。
【課題を解決するための手段】
【００１０】
本発明は上記目的を達成するために、本発明のドラム式洗濯機は、水槽内に回転自在に配設され、その回転中心軸が水平もしくは水平から傾斜した回転ドラムと、前記水槽の底部に設けた排水口と、前記回転ドラムを回転駆動するモータと、前記水槽内に洗濯水を給水する給水手段と、前記水槽内の洗濯水を排水する排水手段と、前記モータ、給水手段および排水手段等を制御して洗濯、すすぎ、脱水等の各工程を実行する制御手段とを備え、前記水槽の内底部には、脱水工程時において、洗濯水を収集して前記排水口へ案内する誘導面を有する誘導体を設けたである。
【００１１】
これにより、脱水工程時において、水槽内底部に洗濯水が溜まった場合や、水槽と回転ドラムの間に泡が充満した場合でも、洗濯水や泡を積極的に排水口へ導くことで排出し、その後、正常な脱水回転速度で脱水を実行することにより、所定のすすぎ性能、脱水性能を得ることができるドラム式洗濯機を提供するものである。
【発明の効果】
【００１２】
本発明のドラム式洗濯機は、脱水工程時において、水槽内底部に洗濯水が溜まった場合や、水槽と回転ドラムの間に泡が充満した場合でも、洗濯水や泡を積極的に排水口へ導くことで排出し、その後、正常な脱水回転速度で脱水を実行することにより、所定のすすぎ性能、脱水性能を得ることができる。
【発明を実施するための最良の形態】
【００１３】
第１の発明は、水槽内に回転自在に配設され、その回転中心軸が水平もしくは水平から傾斜した回転ドラムと、前記水槽の底部に設けた排水口と、前記回転ドラムを回転駆動するモータと、前記水槽内に洗濯水を給水する給水手段と、前記水槽内の洗濯水を排水する排水手段と、前記モータ、給水手段および排水手段等を制御して洗濯、すすぎ、脱水等の各工程を実行する制御手段とを備え、前記水槽の内底部には、脱水工程時において、洗濯水を収集して前記排水口へ案内する誘導面を有する誘導体を設けたドラム式洗濯機とすることにより、脱水工程時において、水槽内底部に洗濯水が溜まった場合や、水槽と回転ドラムの間に泡が充満した場合でも、洗濯水や泡を積極的に排水口へ導くことで排出し、その後、正常な脱水回転速度で脱水を実行され、所定のすすぎ性能、脱水性能を得ることができる。
【００１４】
第２の発明は、特に、第１の発明の誘導体は、排水口に対し脱水工程時における回転方向の下流側で前記排水口の近傍に設けられ、前記誘導体の誘導面は、その上端が回転ドラムの脱水工程時における回転方向の上流側に向くように傾斜させたことにより、脱水工程において、泡と洗濯水を排水口方向へ圧をかけて整流させ、積極的に排出させることができる。
【００１５】
第３の発明は、特に、第１または２の発明の排水口は、誘導面を挟んで回転ドラムの脱水工程時における回転方向の上流側と下流側のそれぞれに設けたことにより、誘導面と排水口の位置関係によらず残水を防ぐことができ、脱水時に水槽の底部に溜まる洗濯水を確実に排水することができる。
【００１６】
第４の発明は、特に、第１〜３のいずれか１つの発明の誘導体の誘導面は、上方に凸となるように、湾曲面、もしくは連続した複数の面で構成したことにより、誘導体の強度を増すことができ、脱水時の回転ドラムの風圧や洗濯水の遠心力に耐える構造とすることができる。
【００１７】
第５の発明は、特に、第１の発明の水槽の内底部には、回転中心軸方向に長い凹状の排水溝を設け、前記排水溝の底部に排水口を設けたことにより、脱水工程において、泡と洗濯水を排水溝に集めるとともに、排水口方向へ圧をかけて整流させ、積極的にかつ確実に排出させることができる。
【００１８】
第６の発明は、特に、第５の発明の誘導体は、排水口に対し脱水工程時における回転方向の下流側で前記排水口の近傍に回転中心軸を通る垂直面に対し略平行な面を有する壁部と前記壁部の上端部から延設され前記排水口の少なくとも一部を覆う鍔部とからなる誘導面と、前記排水口を挟んで前記誘導面の対向位置に排水溝の上部から底部の排水口近傍にかけて傾斜した傾斜面とから構成されたことにより、脱水工程において、泡と洗濯水を排水溝に集めるとともに、泡と洗濯水を排水口方向へ圧をかけて整流させ、さらに積極的にかつ確実に排出させることができる。
【００１９】
第７の発明は、特に、第６の発明の誘導体の誘導面と傾斜面は一体に形成され、排水溝に装着固定されるようにしたことにより、誘導体の水槽への装着の作業性を高めるとともに、壁部と鍔部と傾斜面の位置関係のばらつきをおさえることができ、脱水工程において、洗濯水を確実に排水させることができる。
【００２０】
第８の発明は、特に、第１〜７のいずれか１つの発明の制御手段は、洗濯工程の初期において、回転ドラムを洗濯物が前記回転ドラムの内壁に張り付く程度の回転速度で回転させる洗濯泡生成工程を有し、前記洗濯泡生成工程における回転ドラムの回転方向は、脱水工程時における回転方向と逆方向としたことにより、洗濯泡生成工程においては洗濯のための洗濯泡を確実に発生させることができ、脱水工程においては洗濯水を確実に排水させることができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態に係るドラム式洗濯機の側断面図である。図１において、回転ドラム１７は、有底円筒形に形成され、外周部に多数の通水孔１８が全面に設けられて、水槽１９内に回転自在に配設されている。回転ドラム１７の回転中心に傾斜方向に回転軸（回転中心軸）２０が設けられ、回転ドラム１７の軸心方向は正面側から背面側に向けて下向きに傾斜させている。この回転軸２０に、水槽１９の背面に取り付けたモータ２１が連結され、モータ２１により回転ドラム１７が正転、逆転方向に回転駆動される。回転ドラム１７の内壁面には数個の突起板２２が設けられている。
【００２３】
水槽１９の正面側で本体２３の上向き傾斜面２３ａに設けた開口部２４を蓋体２５により開閉自在に覆い、この蓋体２５を開くことにより、開口部２４、水槽衣類出入口２６および回転ドラム衣類出入口２７を通して回転ドラム１７内に洗濯物を入れ、回転ドラム１７内から洗濯物を取り出せるようにしている。蓋体２５を上向き傾斜面２３ａに設けているため、使用者は洗濯物を出し入れする際に、腰を屈める具合を少なくして行うことができる。
【００２４】
水槽１９は、本体２３からばね体２８とダンパー２９により揺動可能に吊り下げられており、水槽１９の内底部には、回転軸２０の方向に長い凹状の排水溝３０を設けている。この排水溝３０の底部の背面側寄りには排水口３１を設けており、この排水口３１に排水経路３２の一端を接続し、排水経路３２の他端を排水弁（排水手段）３３に接続して、水槽１９内の洗濯水を排水するようにしている。給水弁（給水手段）３４は、洗剤ケース３５および給水経路３５ａを通して水槽１９内に洗濯水を給水するために、また、水位検知手段３６は、水槽１９内の水位を検知するために設けられている。
【００２５】
制御装置３７は、図２に示すように構成されており、マイクロコンピュータで構成した制御手段３８を有し、パワースイッチング手段３９を介してモータ２１、排水弁（ＤＶ）３３、給水弁（ＦＶ）３４などの動作を制御し、洗濯、すすぎ、脱水、乾燥の一連の工程を逐次制御する。
【００２６】
制御手段３８は、運転コース等を設定するための入力設定手段４０からの情報を入力して、その情報を基に表示手段４１で表示して使用者に知らせる。記憶手段４２は、制御手段３８により制御するのに必要なデータを記憶している。なお、４３は商用電源、４４は電源スイッチである。
【００２７】
図１に示すように、排水溝３０には、洗濯水を収集して排水口３１へ案内する誘導体４５を設けている。
【００２８】
図３（ａ）は、排水溝３０に設けた排水口３１近傍の断面図、図３（ｂ）は、同矢視図である。図において、回転ドラム１７の脱水工程時の回転方向は正面からみて時計回り（矢印Ａ）方向である。水槽１９の底部に設けた排水溝３０の内底部の排水口３１に近傍で、排水口３１に対して矢印Ａ（回転ドラム１７の脱水工程時の回転方向）の下流側に配設された誘導体４５の誘導面４６は、その上端が矢印Ａの上流側に傾斜するように形成されている。また、誘導面４６には、水槽１９の背面側との接続部である下方背面側に切欠き部４６ａが形成されている。これにより、誘導体４５の誘導面４６の背面側（矢印Ａの下流側）に残った洗濯水もこの切欠き４６ａを通り、排水口３１に達することができるので、排水溝３０への残水を極力抑えることができる。
【００２９】
上記構成においてその動作を説明する。扉２５を開いて回転ドラム１７内に洗濯物を投入し、洗剤ケース３５内に所定量の洗剤を投入した後、運転を開始させると、まず、洗濯工程を実行する。洗濯工程において、給水弁３４が動作して洗濯水が給水され、その洗濯水は洗剤投入ケース３５および給水経路３５ａを通り、洗剤とともに水槽１９内に入る。これと同時に、回転ドラム１７は、第１の所定回転速度（例えば、１２０ｒ／ｍｉｎ）で回転を開始する。この時の回転ドラム１７の回転方向は、正面からみて反時計回り（矢印Ｂ）方向である。
【００３０】
この動作により、洗剤を含んだ洗濯水は撹拌され、洗剤は徐々に洗濯水に溶け込んでいくと同時に、その洗濯水は、矢印Ｃのように、排水溝３０の側壁３０ａおよび誘導体４５の上面側に衝突する。その衝突により高濃度の洗剤成分を有する洗濯泡が発生し、その洗濯泡が回転ドラム１７と水槽１９の間に徐々に充満していく。その後、いっぱいになると、洗濯泡は、回転ドラム１７と水槽１９の前方に回り込み、回転ドラム衣類出入口２７から回転ドラム１７の内部に入り込み、その中の洗濯物に染み込むこととなる。
【００３１】
その後、回転ドラム１７の回転による遠心力により、その洗濯泡が、洗濯物に付着した汚れを取り込むことにより、洗濯物から汚れを引き剥がし、再度、回転ドラム１７の外周部の通水孔１８を通って、回転ドラム１７と水槽１９の間に出て行く。この動作を繰り返すことにより洗濯物を洗うこととなる。この動作を水槽１９内の水位が所定水位になるまで所定時間実行した後、回転ドラム１７の回転速度を、第２の所定回転速度（例えば、４０ｒ／ｍｉｎ）に変更し、正転、休止、反転、休止の動作を繰り返す洗濯動作を所定時間実行する。
【００３２】
なお、この時の回転ドラム１７の第２の所定回転速度での回転により、回転ドラム１７内に収容された洗濯物は回転ドラム１７の内周壁に設けられた突起板２２によって回転方向に持ち上げられ、持ち上げられた適当な高さ位置から落下する撹拌動作が繰り返されるので、洗濯物には叩き洗いの作用が及んで洗濯がなされる。
【００３３】
この洗濯動作を所定時間行った後、洗濯工程を終了し、第１排水工程を実行する。第１排水工程においては、排水弁３３が動作して、排水が実行される。この時、水槽１９内の洗濯水は、排水口３１、排水経路３２および排水弁３３を介して、機外に排水される。その後、第１脱水工程に移行する。
【００３４】
第１脱水工程においては、洗濯物に含まれた洗濯水を回転ドラム１７を第３の所定回転速度（例えば、９００ｒ／ｍｉｎ）まで立ち上げて、この第３の所定回転速度で所定時間回転させ、洗濯物に含まれた洗濯水を脱水する。この時の回転ドラム１７の回転方向は正面からみて時計回り（矢印Ａ）方向であるので、洗濯物から脱水された洗剤成分を含む洗濯水は、誘導体４５の誘導面４６に誘導されて、矢印Ｄのように、排水口３１に流れ込む。このように、第１脱水工程において、回転ドラム１７の高速での脱水回転の妨げとなる水槽１９の底部に溜まった洗濯水や、回転ドラム１７を高速で回転させることで回転ドラム１７と水槽１９の間に発生する洗濯泡を積極的に排水することができるので、回転ドラム１７の第３の所定回転速度までの立ち上げを円滑に実行することができる。
【００３５】
この第１脱水工程を所定時間行った後、給水弁３４が動作して、水槽１９内に洗剤投入ケース３５および給水経路３５ａを介して洗濯水が注水され、第１すすぎ工程が実施される。この第１すすぎ工程において、回転ドラム１７の回転速度を、第２の所定回転速度（例えば、４０ｒ／ｍｉｎ）に設定し、正転、休止、反転、休止の動作を繰り返し、洗濯物が回転ドラム１７の内周壁に設けられた突起板２２によって回転方向に持ち上げられ、持ち上げられた適当な高さ位置から落下する撹拌動作が繰り返されるすすぎ動作を所定時間実行する。
【００３６】
その後、第１排水工程と同様に第２排水工程が実行され、第１脱水工程と同様に第２脱水工程が実行された後、第１すすぎ工程と同様に第２すすぎ工程が実行される。さらに、第１排水工程および第２排水工程と同様に第３排水工程が実行され、第１脱水工程および第２脱水工程と同様に最終脱水工程が実行される。なお、この最終脱水工程における脱水時間は、第１脱水工程および第２脱水工程より長く設定してある。
【００３７】
本実施形態のように、回転ドラム１７を水平方向から傾斜させて配設した構成では、脱水時に衣類に含まれた洗濯水が、回転ドラム１７の透孔１８から抜け、水槽１９内の下方背面側に溜まることになり、このとき、脱水回転する回転ドラム１７の風圧や遠心力によって洗濯水や洗濯泡が水槽１９の下向き傾斜面を上向きに上昇して排水不良が生じることがあるが、上記構成になる誘導体４５を水槽１９の内底部に配設し、回転ドラム１７の脱水回転が始まり、高速回転になると、洗濯水と洗濯泡は回転ドラム１７の脱水回転方向へ力がかかった流れをなし、誘導体４５の誘導面４６が、その流れを受け止め、洗濯水と洗濯泡を積極的に排水口２９へと整流し、円滑に排水することができる。
【００３８】
また、誘導体４５の誘導面４６は、上方に凸となるように、湾曲面で構成しているので、洗濯水をさらに円滑に排水口２９に誘導することができる。
【００３９】
それによって、脱水工程時、洗濯泡による脱水起動不良状態を防止し、円滑に脱水を行うことにより、所定のすすぎ性能、脱水性能を実現させることが可能となる。
【００４０】
なお、本実施の形態では、給水の開始と同時に回転ドラム１７を第１の所定回転速度で回転させたが、給水開始後、水槽１９内の水位が所定水位に達した後、回転ドラム１７の回転を開始してもよい。
【００４１】
（実施の形態２）
図４（ａ）は、第２の実施形態における排水溝３０に設けた排水口４９ａおよび４９ｂ近傍の断面図、図４（ｂ）は、同矢視図である。排水口４９ａおよび４９ｂは、誘導体４７の誘導面４８を挟んで両側にそれぞれ設けられている。他の構成は、第１の実施形態と同じであり、同一符号を付して説明を省略する。
【００４２】
上記構成によると、誘導体４７の誘導面４８の背面側（矢印Ａの下流側）に残った洗濯水も排水口４９ｂにより確実に排水することができるので、排水溝３０への残水を極力抑えることができる。
【００４３】
また、洗濯工程、脱水工程における誘導体４７、誘導面４８および排水口４９ａの構成、作用、効果は、第１の実施の形態の誘導体４５、誘導面４６および排水口３１と同様であるので、説明は省略する。
【００４４】
このように、本実施例によれば、円滑に排水を実行するとともに、洗濯泡と洗濯水を圧を逃さず速やかに排水口へ導くことで、泡による脱水時の起動不良状態を防止し、速やかに脱水を行うことができるので、所定のすすぎ性能および脱水性能の確保、そして脱水時間の短縮を実現させることが可能となる。
【００４５】
（実施の形態３）
図５（ａ）は、排水溝３０に設けた排水口３１近傍の断面図、図５（ｂ）は、同矢視図である。誘導体５０の誘導面５１は、上方に凸となるように、湾曲面で形成され、誘導体５０の誘導面５１の底部は、排水口２９を分割するように配設され形成されている。また、水槽１９と排水溝３０との段差が円滑になるように、排水溝３０の側壁３０ａには、傾斜させた傾斜面５２を形成されている。他の構成は、第１の実施形態と同じであり、同一符号を付して説明を省略する。
【００４６】
上記構成になる誘導体５０は、誘導面５１が湾曲面で形成されることで、泡と洗濯水の乱流を抑えて整流することで、円滑に排水口２９へと導くことができる。さらに、水槽１９と排水溝３０との段差が円滑になるように、傾斜させた傾斜面５２によっても、洗濯泡と洗濯水の乱流を抑えて整流することができ、円滑に排水口２９へと導くことができる。
【００４７】
また、誘導面５１が、上方に凸となるように湾曲面で形成されていることから、誘導面５１の強度を増すことができ、脱水時に回転ドラム１７が高速回転した場合でも、風圧や洗濯水の遠心力に耐える構造となる。
【００４８】
また、誘導体５０が排水口２９を分割するように配設されていることから、誘導体５０の誘導面５１の背面側（矢印Ａの下流側）に残った洗濯水も排水口４９により確実に排水することができるので、排水溝３０への残水を極力抑えることができる。また、誘導面５１側に集まる排水するための風圧を逃がさずに、排水口２９に導くことができるので、速やかに洗濯水と洗濯泡を排水することができる。なお、湾曲面は、連続した複数の面で形成しても同様の効果を得ることができる。
【００４９】
また、洗濯工程、脱水工程における誘導体４７、誘導面４８および排水口４９ａの構成、作用、効果は、第１の実施の形態の誘導体４５、誘導面４６および排水口３１と同様であるので、説明は省略する。
【００５０】
このように、本実施例によれば、風圧や洗濯水の遠心力に耐える構造を実現しつつ、泡と洗濯水の乱流を抑えることで余分な泡立ちを抑え、かつ積極的に排水口へ導くことで、泡による脱水時の起動不良状態を防止し、速やかに脱水を行うことができるので、所定のすすぎ性能および脱水性能の確保、そして脱水時間の短縮を実現させることが可能となる。
【００５１】
（実施の形態４）
図６（ａ）は、排水溝３０に設けた排水口３１近傍に誘導体５３を取り付ける際の分解矢視図、図６（ｂ）は、排水溝３０に誘導体５３を取り付けた際の断面図である。
【００５２】
図において、誘導体５３は、排水溝３０に装着可能なように開口部５４を有する略直方体の形状をしている。誘導体５３の後方下部には、後方へ凸の凸部５５を左右に有している。排水溝３０の後方下部には、下方に凹部５６を形成するように、引掛け部５７を一体に形成している。誘導体５３を排水溝３０に取り付ける際、凸部５５を凹部５６に挿入し、凸部５５の上面を引掛け部５７の下面に引掛け、その後、誘導体の前方側は、排水溝３０の前方側に設けたねじ穴にねじで留めることにより固定する。また、誘導体５３には、その開口部５４に、排水口３１に対して矢印Ａ（回転ドラム１７の脱水工程時の回転方向）の下流側に配設された壁部５８と、壁部５８の上端部から略水平方向に延設された鍔部５９が形成されている。この鍔部５９は、排水口３１の少なくとも一部を覆うように形成されている。さらに、誘導体５３には、その開口部５４に、排水口３１を挟んで壁部５８の対向位置に、排水溝３０の上部から底部の排水口３１の近傍にかけて傾斜した傾斜面６０を一体に形成している。他の構成は、第１の実施形態と同じであり、同一符号を付して説明を省略する。
【００５３】
上記構成になる誘導体５０は、誘導面として壁部５８と鍔部５９とで構成され、また、水槽１９と排水溝３０との段差が円滑になるように、傾斜させた傾斜面６０も一体に形成されているので、誘導体５０の水槽１９への装着の作業性を高めるとともに、壁部５８、鍔部５９、傾斜面６０、排水溝３０および排水口３１の位置関係のばらつきをおさえることができ、また、脱水工程において、泡と洗濯水を排水溝に集めるとともに、泡と洗濯水を排水口方向へ圧をかけて整流させ、さらに積極的にかつ確実に排出させることができる。
【００５４】
なお、上記実施の形態１〜４では、回転ドラム１７の回転中心に傾斜方向に回転軸２０を設け、回転ドラム１７の軸心方向を正面側から背面側に向けて下向きに傾斜させているが、回転ドラム１７の回転中心に水平方向に回転軸２０を設け、回転ドラム１７の軸心方向を水平方向にしてもよい。
【００５５】
なお、上記実施の形態１〜３では、誘導体は、水槽１９と一体の構成としても、実施の形態４のように別部品による構成とすることもできる。
【産業上の利用可能性】
【００５６】
以上のように、本発明にかかるドラム式洗濯機は、脱水時に水槽内底部に洗濯水が溜まった場合や、水槽と回転ドラムの間に泡が充満した場合でも、泡と洗濯水を積極的に排水口へ導くことで、泡起動状態を防止し、脱水を行うことにより、所定のすすぎ性能、脱水性能を実現させることが可能となるので、洗濯性に優れたドラム式洗濯機の提供を図ることができる。
【図面の簡単な説明】
【００５７】
【図１】本発明の実施の形態１に係るドラム式洗濯機の側断面図
【図２】同ドラム式洗濯機のブロック回路図
【図３】（ａ）同ドラム式洗濯機の要部断面図（ｂ）同矢視図
【図４】（ａ）本発明の実施の形態２に係るドラム式洗濯機の要部断面図（ｂ）同矢視図
【図５】（ａ）本発明の実施の形態３に係るドラム式洗濯機の要部断面図（ｂ）同矢視図
【図６】（ａ）本発明の実施の形態４に係るドラム式洗濯機の要部矢視図（ｂ）同断面図
【図７】従来のドラム式洗濯機の側断面図
【符号の説明】
【００５８】
１７  回転ドラム
１９  水槽
２０  回転軸（回転中心軸）
２１  モータ
３１  排水口
３３  排水弁（排水手段）
３４  給水弁（給水手段）
３８  制御手段
４５  誘導体
４６  誘導面
【図１】
2006130199.tif 000003
【図２】
2006130199.tif 000004
【図３】
2006130199.tif 000005
【図４】
2006130199.tif 000006
【図５】
2006130199.tif 000007
【図６】
2006130199.tif 000008
【図７】
2006130199.tif 000009
【手続補正書】
【提出日】平成17年9月29日(2005.9.29)
【手続補正１】
【補正対象書類名】特許請求の範囲
【補正対象項目名】全文
【補正方法】変更
【補正の内容】
【特許請求の範囲】
【請求項１】
水槽内に回転自在に配設され、その回転中心軸が水平もしくは水平から傾斜した回転ドラムと、前記水槽の内底部に設けられ回転中心軸方向に長い凹状の排水溝と、前記排水溝の底部に設けた排水口と、前記回転ドラムを回転駆動するモータと、前記水槽内に洗濯水を給水する給水手段と、前記排水口と接続され前記水槽内の洗濯水を排水する排水手段と、前記モータ、給水手段および排水手段等を制御して洗濯、すすぎ、脱水等の各工程を実行する制御手段とを備え、前記排水溝には、前記排水溝の凹状に沿うように形成され脱水工程時において洗濯水を収集して前記排水口へ案内する誘導体を着脱可能に設け、前記誘導体は、前記排水口に対し脱水工程時における回転方向の下流側で前記排水口の近傍に前記回転中心軸を通る垂直面に対し略平行な面であって前記排水溝の上部から底部にかけて設けられた壁部と、前記壁部の上端部から延設された鍔部とからなる誘導面を有し、前記鍔部の一部が前記排水口の少なくとも一部を覆う構成としたドラム式洗濯機。
【請求項２】
誘導体は、排水口を挟んで誘導面の対向位置に排水溝の上部から底部にかけて傾斜した傾斜面を有する請求項１記載のドラム式洗濯機。
【請求項３】
誘導体は、水槽内から排水口へ連通する開口部を有し、誘導面は、前記開口部の脱水工程時における回転方向の下流側の一辺を構成した請求項１記載のドラム式洗濯機。
【請求項４】
誘導体は、水槽内から排水口へ連通する開口部を有し、傾斜面は、前記開口部の脱水工程時における回転方向の上流側の一辺を構成した請求項２記載のドラム式洗濯機。
【請求項５】
誘導体は、その後方が排水溝の後方と凹凸部により引掛けられ、その前方が前記排水溝に設けたねじ穴にねじ留めされることで、前記排水溝に固定されるようにした請求項１〜４のいずれか１項に記載のドラム式洗濯機。
【請求項６】
制御手段は、洗濯工程の初期において、回転ドラムを洗濯物が前記回転ドラムの内壁に張り付く程度の回転速度で回転させる洗濯泡生成工程を有し、前記洗濯泡生成工程における前記回転ドラムの回転方向は、脱水工程時における回転方向と逆方向とした請求項１〜５のいずれか１項に記載のドラム式洗濯機。
【手続補正２】
【補正対象書類名】明細書
【補正対象項目名】全文
【補正方法】変更
【補正の内容】
【発明の詳細な説明】
【技術分野】
【０００１】
本発明は回転ドラム内で衣類の洗濯などを行うドラム式洗濯機に関するものである。
【背景技術】
【０００２】
従来、この種のドラム式洗濯機は図７のように構成していた。以下その構成を説明する。
【０００３】
図７に示すように、ドラム１は、外周部に多数の通水孔２を全面に設け、水槽３内に回転自在に配設している。ドラム１の回転中心に回転軸４の一端を固定し、回転軸４の他端にドラムプーリー５を固定している。モータ６は、ベルト７によりドラムプーリー５と連結し、ドラム１を回転駆動する。ドラム１の開口部に蓋８を開閉自在に設けている。水槽３は、洗濯機本体９よりばね体１０で吊り下げ、防振ダンパー１１により脱水時の振動が洗濯機本体９に伝達されないように防振支持するとともに、脱水時の振動を低減する重り１２を設けている。給水弁１３は、水槽３内に洗濯水を給水するもので、排水ポンプ１４は、水槽３内の洗濯水を排水するものである。ヒータ１５は、水槽３内の洗濯水を加熱するものである。制御装置１６は、モータ６、給水弁１３、排水ポンプ１４、ヒータ１５などの動作を制御し、洗濯、すすぎ、脱水などの一連の工程を逐次制御する（例えば、特許文献１参照）。
【０００４】
以上のように構成されたドラム式洗濯機の動作を以下に説明する。
【０００５】
蓋８を開いてドラム１内に洗濯物を投入し、運転を開始すると、洗濯工程では、給水弁１３を駆動して水槽３内に洗濯水を給水する。洗濯水の水位が所定水位に達すると給水弁１３の駆動を停止し、給水を終了する。その後、ドラム１はモータ６によって低速で回転駆動され、ドラム１内の洗濯物は持ち上げられて水面上に落下される。こうして洗濯工程が進行する。洗濯工程を所定時間行った後、排水ポンプ１４を駆動して水槽３内の洗濯水を排水し、中間脱水を行い、その後のすすぎ工程を行う。そのすすぎ工程においても洗濯工程と同様の動作を行う。脱水工程では、ドラム１は高速で回転駆動され、洗濯物は遠心脱水される。
【特許文献１】特開平１０−２０１９８８号公報
【発明の開示】
【発明が解決しようとする課題】
【０００６】
しかしながら、このような従来の脱水制御では、上述のように、脱水運転の初期に低速回転又は間欠回転を行い、洗濯物に含まれる洗剤水を徐々に取り除くのであるが、排水ホースの引き回しや、洗濯物の種類による水の抜けやすさなどの様々な影響を受け、排水時に水槽の底部に水が溜まることを完全に防ぐことができないという問題を有していた。
【０００７】
また、排水条件や排水能力に関係する条件は、投入する洗剤の種類やその量、洗濯物に付着した汚れの種類など、そのときどきの洗濯の対象物や使用環境などによって大きく異なってくるため、それら各々の最悪の条件を想定した上での対策を取ることになる。そのため、実際には、低速回転又は間欠回転の時間が過剰になっていることが殆どであって、脱水所要時間の短縮化を阻むという問題を有していた。
【０００８】
また、洗濯工程でドラム内の洗濯物が絡み合った状態で脱水工程に入ると、脱水工程でドラム内の洗濯物が均等に分布しないためアンバランスが生じ、アンバランス状態で脱水を開始すると、水槽などの振動共振点に対応する回転数で大きな振動が発生し、その結果、水槽内の洗濯水が回転ドラムと接触しやすくなり、泡による起動不良状態になりやすくなると同時に、ドラムの回転数を振動共振点に対応する回転数より加速させることができず、所定のすすぎ性能、脱水性能が得られないという問題を有していた。
【０００９】
本発明は、上記従来の課題を解決するもので、泡による起動不良などの脱水時の問題を回避し、所定のすすぎ性能を確保しつつ、脱水時間の短縮を図ることができるドラム式洗濯機を提供することを目的としている。
【課題を解決するための手段】
【００１０】
本発明は上記目的を達成するために、本発明のドラム式洗濯機は、水槽内に回転自在に配設され、その回転中心軸が水平もしくは水平から傾斜した回転ドラムと、前記水槽の内底部に設けられ回転中心軸方向に長い凹状の排水溝と、前記排水溝の底部に設けた排水口と、前記回転ドラムを回転駆動するモータと、前記水槽内に洗濯水を給水する給水手段と、前記排水口と接続され前記水槽内の洗濯水を排水する排水手段と、前記モータ、給水手段および排水手段等を制御して洗濯、すすぎ、脱水等の各工程を実行する制御手段とを備え、前記排水溝には、前記排水溝の凹状に沿うように形成され脱水工程時において洗濯水を収集して前記排水口へ案内する誘導体を着脱可能に設け、前記誘導体は、前記排水口に対し脱水工程時における回転方向の下流側で前記排水口の近傍に前記回転中心軸を通る垂直面に対し略平行な面であって前記排水溝の上部から底部にかけて設けられた壁部と、前記壁部の上端部から延設された鍔部とからなる誘導面を有し、前記鍔部の一部が前記排水口の少なくとも一部を覆う構成としたものである。
【００１１】
これにより、脱水工程時において、水槽内底部に洗濯水が溜まった場合や、水槽と回転ドラムの間に泡が充満した場合でも、洗濯水や泡を積極的に排水口へ導くことで排出し、その後、正常な脱水回転速度で脱水を実行することにより、所定のすすぎ性能、脱水性能を得ることができるドラム式洗濯機を提供するものである。
【発明の効果】
【００１２】
本発明のドラム式洗濯機は、脱水工程時において、水槽内底部に洗濯水が溜まった場合や、水槽と回転ドラムの間に泡が充満した場合でも、洗濯水や泡を積極的に排水口へ導くことで排出し、その後、正常な脱水回転速度で脱水を実行することにより、所定のすすぎ性能、脱水性能を得ることができる。
【発明を実施するための最良の形態】
【００１３】
第１の発明は、水槽内に回転自在に配設され、その回転中心軸が水平もしくは水平から傾斜した回転ドラムと、前記水槽の内底部に設けられ回転中心軸方向に長い凹状の排水溝と、前記排水溝の底部に設けた排水口と、前記回転ドラムを回転駆動するモータと、前記水槽内に洗濯水を給水する給水手段と、前記排水口と接続され前記水槽内の洗濯水を排水する排水手段と、前記モータ、給水手段および排水手段等を制御して洗濯、すすぎ、脱水等の各工程を実行する制御手段とを備え、前記排水溝には、前記排水溝の凹状に沿うように形成され脱水工程時において洗濯水を収集して前記排水口へ案内する誘導体を着脱可能に設け、前記誘導体は、前記排水口に対し脱水工程時における回転方向の下流側で前記排水口の近傍に前記回転中心軸を通る垂直面に対し略平行な面であって前記排水溝の上部から底部にかけて設けられた壁部と、前記壁部の上端部から延設された鍔部とからなる誘導面を有し、前記鍔部の一部が前記排水口の少なくとも一部を覆う構成としたドラム式洗濯機とすることにより、脱水工程時において、水槽内底部に洗濯水が溜まった場合や、水槽と回転ドラムの間に泡が充満した場合でも、洗濯水や泡を排水溝に集めるとともに、排水口方向へ圧をかけて整流させ、積極的にかつ確実に排水口へ導くことで排出し、その後、正常な脱水回転速度で脱水を実行され、所定のすすぎ性能、脱水性能を得ることができる。
【００１４】
第２の発明は、特に、第１の発明の誘導体は、排水口を挟んで誘導面の対向位置に排水溝の上部から底部にかけて傾斜した傾斜面を有することにより、脱水工程において、泡と洗濯水を排水溝に集めるとともに、泡と洗濯水を排水口方向へ圧をかけて整流させ、さらに積極的にかつ確実に排出させることができる。
【００１５】
第３の発明は、特に、第１の発明の誘導体は、水槽内から排水口へ連通する開口部を有し、誘導面は、前記開口部の脱水工程時における回転方向の下流側の一辺を構成したことにより、壁部、鍔部、排水溝および排水口の位置関係のばらつきをおさえることができ、泡と洗濯水を排水溝に集めるとともに、泡と洗濯水を排水口方向へ圧をかけて整流させ、さらに積極的にかつ確実に排出させることができる。
【００１６】
第４の発明は、特に、第２の発明の誘導体は、誘導体は、水槽内から排水口へ連通する開口部を有し、傾斜面は、前記開口部の脱水工程時における回転方向の上流側の一辺を構成したことにより、傾斜面、排水溝および排水口の位置関係のばらつきをおさえることができ、泡と洗濯水を排水溝に集めるとともに、泡と洗濯水を排水口方向へ圧をかけて整流させ、さらに積極的にかつ確実に排出させることができる。
【００１７】
第５の発明は、特に、第１〜４のいずれか１つの発明の誘導体は、その後方が排水溝の後方と凹凸部により引掛けられ、その前方が前記排水溝に設けたねじ穴にねじ留めされることで、前記排水溝に固定されるようにしたことにより、誘導体の水槽への装着の作業性を高めるとともに、壁部と鍔部と傾斜面の位置関係のばらつきをおさえることができ、脱水工程において、洗濯水を確実に排水させることができる。
【００１８】
第６の発明は、特に、第１〜５のいずれか１つの発明の制御手段は、洗濯工程の初期において、回転ドラムを洗濯物が前記回転ドラムの内壁に張り付く程度の回転速度で回転させる洗濯泡生成工程を有し、前記洗濯泡生成工程における前記回転ドラムの回転方向は、脱水工程時における回転方向と逆方向としたことにより、洗濯泡生成工程においては洗濯のための洗濯泡を確実に発生させることができ、脱水工程においては洗濯水を確実に排水させることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態に係るドラム式洗濯機の側断面図である。図１において、回転ドラム１７は、有底円筒形に形成され、外周部に多数の通水孔１８が全面に設けられて、水槽１９内に回転自在に配設されている。回転ドラム１７の回転中心に傾斜方向に回転軸（回転中心軸）２０が設けられ、回転ドラム１７の軸心方向は正面側から背面側に向けて下向きに傾斜させている。この回転軸２０に、水槽１９の背面に取り付けたモータ２１が連結され、モータ２１により回転ドラム１７が正転、逆転方向に回転駆動される。回転ドラム１７の内壁面には数個の突起板２２が設けられている。
【００２１】
水槽１９の正面側で本体２３の上向き傾斜面２３ａに設けた開口部２４を蓋体２５により開閉自在に覆い、この蓋体２５を開くことにより、開口部２４、水槽衣類出入口２６および回転ドラム衣類出入口２７を通して回転ドラム１７内に洗濯物を入れ、回転ドラム１７内から洗濯物を取り出せるようにしている。蓋体２５を上向き傾斜面２３ａに設けているため、使用者は洗濯物を出し入れする際に、腰を屈める具合を少なくして行うことができる。
【００２２】
水槽１９は、本体２３からばね体２８とダンパー２９により揺動可能に吊り下げられており、水槽１９の内底部には、回転軸２０の方向に長い凹状の排水溝３０を設けている。この排水溝３０の底部の背面側寄りには排水口３１を設けており、この排水口３１に排水経路３２の一端を接続し、排水経路３２の他端を排水弁（排水手段）３３に接続して、水槽１９内の洗濯水を排水するようにしている。給水弁（給水手段）３４は、洗剤ケース３５および給水経路３５ａを通して水槽１９内に洗濯水を給水するために、また、水位検知手段３６は、水槽１９内の水位を検知するために設けられている。
【００２３】
制御装置３７は、図２に示すように構成されており、マイクロコンピュータで構成した制御手段３８を有し、パワースイッチング手段３９を介してモータ２１、排水弁（ＤＶ）３３、給水弁（ＦＶ）３４などの動作を制御し、洗濯、すすぎ、脱水、乾燥の一連の工程を逐次制御する。
【００２４】
制御手段３８は、運転コース等を設定するための入力設定手段４０からの情報を入力して、その情報を基に表示手段４１で表示して使用者に知らせる。記憶手段４２は、制御手段３８により制御するのに必要なデータを記憶している。なお、４３は商用電源、４４は電源スイッチである。
【００２５】
図１に示すように、排水溝３０には、洗濯水を収集して排水口３１へ案内する誘導体４５を設けている。
【００２６】
図３（ａ）は、排水溝３０に設けた排水口３１近傍の断面図、図３（ｂ）は、同矢視図である。図において、回転ドラム１７の脱水工程時の回転方向は正面からみて時計回り（矢印Ａ）方向である。水槽１９の底部に設けた排水溝３０の内底部の排水口３１に近傍で、排水口３１に対して矢印Ａ（回転ドラム１７の脱水工程時の回転方向）の下流側に配設された誘導体４５の誘導面４６は、その上端が矢印Ａの上流側に傾斜するように形成されている。また、誘導面４６には、水槽１９の背面側との接続部である下方背面側に切欠き部４６ａが形成されている。これにより、誘導体４５の誘導面４６の背面側（矢印Ａの下流側）に残った洗濯水もこの切欠き４６ａを通り、排水口３１に達することができるので、排水溝３０への残水を極力抑えることができる。
【００２７】
上記構成においてその動作を説明する。扉２５を開いて回転ドラム１７内に洗濯物を投入し、洗剤ケース３５内に所定量の洗剤を投入した後、運転を開始させると、まず、洗濯工程を実行する。洗濯工程において、給水弁３４が動作して洗濯水が給水され、その洗濯水は洗剤投入ケース３５および給水経路３５ａを通り、洗剤とともに水槽１９内に入る。これと同時に、回転ドラム１７は、第１の所定回転速度（例えば、１２０ｒ／ｍｉｎ）で回転を開始する。この時の回転ドラム１７の回転方向は、正面からみて反時計回り（矢印Ｂ）方向である。
【００２８】
この動作により、洗剤を含んだ洗濯水は撹拌され、洗剤は徐々に洗濯水に溶け込んでいくと同時に、その洗濯水は、矢印Ｃのように、排水溝３０の側壁３０ａおよび誘導体４５の上面側に衝突する。その衝突により高濃度の洗剤成分を有する洗濯泡が発生し、その洗濯泡が回転ドラム１７と水槽１９の間に徐々に充満していく。その後、いっぱいになると、洗濯泡は、回転ドラム１７と水槽１９の前方に回り込み、回転ドラム衣類出入口２７から回転ドラム１７の内部に入り込み、その中の洗濯物に染み込むこととなる。
【００２９】
その後、回転ドラム１７の回転による遠心力により、その洗濯泡が、洗濯物に付着した汚れを取り込むことにより、洗濯物から汚れを引き剥がし、再度、回転ドラム１７の外周部の通水孔１８を通って、回転ドラム１７と水槽１９の間に出て行く。この動作を繰り返すことにより洗濯物を洗うこととなる。この動作を水槽１９内の水位が所定水位になるまで所定時間実行した後、回転ドラム１７の回転速度を、第２の所定回転速度（例えば、４０ｒ／ｍｉｎ）に変更し、正転、休止、反転、休止の動作を繰り返す洗濯動作を所定時間実行する。
【００３０】
なお、この時の回転ドラム１７の第２の所定回転速度での回転により、回転ドラム１７内に収容された洗濯物は回転ドラム１７の内周壁に設けられた突起板２２によって回転方向に持ち上げられ、持ち上げられた適当な高さ位置から落下する撹拌動作が繰り返されるので、洗濯物には叩き洗いの作用が及んで洗濯がなされる。
【００３１】
この洗濯動作を所定時間行った後、洗濯工程を終了し、第１排水工程を実行する。第１排水工程においては、排水弁３３が動作して、排水が実行される。この時、水槽１９内の洗濯水は、排水口３１、排水経路３２および排水弁３３を介して、機外に排水される。その後、第１脱水工程に移行する。
【００３２】
第１脱水工程においては、洗濯物に含まれた洗濯水を回転ドラム１７を第３の所定回転速度（例えば、９００ｒ／ｍｉｎ）まで立ち上げて、この第３の所定回転速度で所定時間回転させ、洗濯物に含まれた洗濯水を脱水する。この時の回転ドラム１７の回転方向は正面からみて時計回り（矢印Ａ）方向であるので、洗濯物から脱水された洗剤成分を含む洗濯水は、誘導体４５の誘導面４６に誘導されて、矢印Ｄのように、排水口３１に流れ込む。このように、第１脱水工程において、回転ドラム１７の高速での脱水回転の妨げとなる水槽１９の底部に溜まった洗濯水や、回転ドラム１７を高速で回転させることで回転ドラム１７と水槽１９の間に発生する洗濯泡を積極的に排水することができるので、回転ドラム１７の第３の所定回転速度までの立ち上げを円滑に実行することができる。
【００３３】
この第１脱水工程を所定時間行った後、給水弁３４が動作して、水槽１９内に洗剤投入ケース３５および給水経路３５ａを介して洗濯水が注水され、第１すすぎ工程が実施される。この第１すすぎ工程において、回転ドラム１７の回転速度を、第２の所定回転速度（例えば、４０ｒ／ｍｉｎ）に設定し、正転、休止、反転、休止の動作を繰り返し、洗濯物が回転ドラム１７の内周壁に設けられた突起板２２によって回転方向に持ち上げられ、持ち上げられた適当な高さ位置から落下する撹拌動作が繰り返されるすすぎ動作を所定時間実行する。
【００３４】
その後、第１排水工程と同様に第２排水工程が実行され、第１脱水工程と同様に第２脱水工程が実行された後、第１すすぎ工程と同様に第２すすぎ工程が実行される。さらに、第１排水工程および第２排水工程と同様に第３排水工程が実行され、第１脱水工程および第２脱水工程と同様に最終脱水工程が実行される。なお、この最終脱水工程における脱水時間は、第１脱水工程および第２脱水工程より長く設定してある。
【００３５】
本実施形態のように、回転ドラム１７を水平方向から傾斜させて配設した構成では、脱水時に衣類に含まれた洗濯水が、回転ドラム１７の透孔１８から抜け、水槽１９内の下方背面側に溜まることになり、このとき、脱水回転する回転ドラム１７の風圧や遠心力によって洗濯水や洗濯泡が水槽１９の下向き傾斜面を上向きに上昇して排水不良が生じることがあるが、上記構成になる誘導体４５を水槽１９の内底部に配設し、回転ドラム１７の脱水回転が始まり、高速回転になると、洗濯水と洗濯泡は回転ドラム１７の脱水回転方向へ力がかかった流れをなし、誘導体４５の誘導面４６が、その流れを受け止め、洗濯水と洗濯泡を積極的に排水口２９へと整流し、円滑に排水することができる。
【００３６】
また、誘導体４５の誘導面４６は、上方に凸となるように、湾曲面で構成しているので、洗濯水をさらに円滑に排水口２９に誘導することができる。
【００３７】
それによって、脱水工程時、洗濯泡による脱水起動不良状態を防止し、円滑に脱水を行うことにより、所定のすすぎ性能、脱水性能を実現させることが可能となる。
【００３８】
なお、本実施の形態では、給水の開始と同時に回転ドラム１７を第１の所定回転速度で回転させたが、給水開始後、水槽１９内の水位が所定水位に達した後、回転ドラム１７の回転を開始してもよい。
【００３９】
（実施の形態２）
図４（ａ）は、第２の実施形態における排水溝３０に設けた排水口４９ａおよび４９ｂ近傍の断面図、図４（ｂ）は、同矢視図である。排水口４９ａおよび４９ｂは、誘導体４７の誘導面４８を挟んで両側にそれぞれ設けられている。他の構成は、第１の実施形態と同じであり、同一符号を付して説明を省略する。
【００４０】
上記構成によると、誘導体４７の誘導面４８の背面側（矢印Ａの下流側）に残った洗濯水も排水口４９ｂにより確実に排水することができるので、排水溝３０への残水を極力抑えることができる。
【００４１】
また、洗濯工程、脱水工程における誘導体４７、誘導面４８および排水口４９ａの構成、作用、効果は、第１の実施の形態の誘導体４５、誘導面４６および排水口３１と同様であるので、説明は省略する。
【００４２】
このように、本実施例によれば、円滑に排水を実行するとともに、洗濯泡と洗濯水を圧を逃さず速やかに排水口へ導くことで、泡による脱水時の起動不良状態を防止し、速やかに脱水を行うことができるので、所定のすすぎ性能および脱水性能の確保、そして脱水時間の短縮を実現させることが可能となる。
【００４３】
（実施の形態３）
図５（ａ）は、排水溝３０に設けた排水口３１近傍の断面図、図５（ｂ）は、同矢視図である。誘導体５０の誘導面５１は、上方に凸となるように、湾曲面で形成され、誘導体５０の誘導面５１の底部は、排水口２９を分割するように配設され形成されている。また、水槽１９と排水溝３０との段差が円滑になるように、排水溝３０の側壁３０ａには、傾斜させた傾斜面５２を形成されている。他の構成は、第１の実施形態と同じであり、同一符号を付して説明を省略する。
【００４４】
上記構成になる誘導体５０は、誘導面５１が湾曲面で形成されることで、泡と洗濯水の乱流を抑えて整流することで、円滑に排水口２９へと導くことができる。さらに、水槽１９と排水溝３０との段差が円滑になるように、傾斜させた傾斜面５２によっても、洗濯泡と洗濯水の乱流を抑えて整流することができ、円滑に排水口２９へと導くことができる。
【００４５】
また、誘導面５１が、上方に凸となるように湾曲面で形成されていることから、誘導面５１の強度を増すことができ、脱水時に回転ドラム１７が高速回転した場合でも、風圧や洗濯水の遠心力に耐える構造となる。
【００４６】
また、誘導体５０が排水口２９を分割するように配設されていることから、誘導体５０の誘導面５１の背面側（矢印Ａの下流側）に残った洗濯水も排水口４９により確実に排水することができるので、排水溝３０への残水を極力抑えることができる。また、誘導面５１側に集まる排水するための風圧を逃がさずに、排水口２９に導くことができるので、速やかに洗濯水と洗濯泡を排水することができる。なお、湾曲面は、連続した複数の面で形成しても同様の効果を得ることができる。
【００４７】
また、洗濯工程、脱水工程における誘導体４７、誘導面４８および排水口４９ａの構成、作用、効果は、第１の実施の形態の誘導体４５、誘導面４６および排水口３１と同様であるので、説明は省略する。
【００４８】
このように、本実施例によれば、風圧や洗濯水の遠心力に耐える構造を実現しつつ、泡と洗濯水の乱流を抑えることで余分な泡立ちを抑え、かつ積極的に排水口へ導くことで、泡による脱水時の起動不良状態を防止し、速やかに脱水を行うことができるので、所定のすすぎ性能および脱水性能の確保、そして脱水時間の短縮を実現させることが可能となる。
【００４９】
（実施の形態４）
図６（ａ）は、排水溝３０に設けた排水口３１近傍に誘導体５３を取り付ける際の分解矢視図、図６（ｂ）は、排水溝３０に誘導体５３を取り付けた際の断面図である。
【００５０】
図において、誘導体５３は、排水溝３０に装着可能なように開口部５４を有する略直方体の形状をしている。誘導体５３の後方下部には、後方へ凸の凸部５５を左右に有している。排水溝３０の後方下部には、下方に凹部５６を形成するように、引掛け部５７を一体に形成している。誘導体５３を排水溝３０に取り付ける際、凸部５５を凹部５６に挿入し、凸部５５の上面を引掛け部５７の下面に引掛け、その後、誘導体の前方側は、排水溝３０の前方側に設けたねじ穴にねじで留めることにより固定する。また、誘導体５３には、その開口部５４に、排水口３１に対して矢印Ａ（回転ドラム１７の脱水工程時の回転方向）の下流側に配設された壁部５８と、壁部５８の上端部から略水平方向に延設された鍔部５９が形成されている。この鍔部５９は、排水口３１の少なくとも一部を覆うように形成されている。さらに、誘導体５３には、その開口部５４に、排水口３１を挟んで壁部５８の対向位置に、排水溝３０の上部から底部の排水口３１の近傍にかけて傾斜した傾斜面６０を一体に形成している。他の構成は、第１の実施形態と同じであり、同一符号を付して説明を省略する。
【００５１】
上記構成になる誘導体５０は、誘導面として壁部５８と鍔部５９とで構成され、また、水槽１９と排水溝３０との段差が円滑になるように、傾斜させた傾斜面６０も一体に形成されているので、誘導体５０の水槽１９への装着の作業性を高めるとともに、壁部５８、鍔部５９、傾斜面６０、排水溝３０および排水口３１の位置関係のばらつきをおさえることができ、また、脱水工程において、泡と洗濯水を排水溝に集めるとともに、泡と洗濯水を排水口方向へ圧をかけて整流させ、さらに積極的にかつ確実に排出させることができる。
【００５２】
なお、上記実施の形態１〜４では、回転ドラム１７の回転中心に傾斜方向に回転軸２０を設け、回転ドラム１７の軸心方向を正面側から背面側に向けて下向きに傾斜させているが、回転ドラム１７の回転中心に水平方向に回転軸２０を設け、回転ドラム１７の軸心方向を水平方向にしてもよい。
【００５３】
なお、上記実施の形態１〜３では、誘導体は、水槽１９と一体の構成としても、実施の形態４のように別部品による構成とすることもできる。
【産業上の利用可能性】
【００５４】
以上のように、本発明にかかるドラム式洗濯機は、脱水時に水槽内底部に洗濯水が溜まった場合や、水槽と回転ドラムの間に泡が充満した場合でも、泡と洗濯水を積極的に排水口へ導くことで、泡起動状態を防止し、脱水を行うことにより、所定のすすぎ性能、脱水性能を実現させることが可能となるので、洗濯性に優れたドラム式洗濯機の提供を図ることができる。
【図面の簡単な説明】
【００５５】
【図１】本発明の実施の形態１に係るドラム式洗濯機の側断面図
【図２】同ドラム式洗濯機のブロック回路図
【図３】（ａ）同ドラム式洗濯機の要部断面図（ｂ）同矢視図
【図４】（ａ）本発明の実施の形態２に係るドラム式洗濯機の要部断面図（ｂ）同矢視図
【図５】（ａ）本発明の実施の形態３に係るドラム式洗濯機の要部断面図（ｂ）同矢視図
【図６】（ａ）本発明の実施の形態４に係るドラム式洗濯機の要部矢視図（ｂ）同断面図
【図７】従来のドラム式洗濯機の側断面図
【符号の説明】
【００５６】
１７  回転ドラム
１９  水槽
２０  回転軸（回転中心軸）
２１  モータ
３１  排水口
３３  排水弁（排水手段）
３４  給水弁（給水手段）
３８  制御手段
４５  誘導体
４６  誘導面
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
水槽内に回転自在に配設され、その回転中心軸が正面側から背面側に向けて水平から下向きに傾斜した回転ドラムと、前記水槽の内底部に設けられ前記回転中心軸方向に長い凹状の排水溝と、前記排水溝の背面側底部に設けた排水口と、前記回転ドラムを回転駆動するモータと、前記水槽内に洗濯水を給水する給水手段と、前記排水口と接続され前記水槽内の洗濯水を排水する排水手段と、前記モータ、給水手段および排水手段等を制御して洗濯、すすぎ、脱水等の各工程を実行する制御手段とを備え、前記排水溝には、前記排水溝の凹状をなす側面に沿ように前記回転中心軸方向に長く形成され脱水工程時において洗濯水を収集して前記排水口へ案内する誘導体を着脱可能に設け、前記誘導体は、前記水槽内から前記排水口へ連通する前記回転中心軸方向に長い開口部を有し、さらに前記開口部を形成する側面のうち前記排水口に対し脱水工程時における回転方向の下流側の側面が、前記排水溝の上部から底部にかけて設けられた壁部と、前記壁部の上端部から延設された鍔部とからなる誘導面をなし、前記鍔部が、前記回転中心軸方向に長く形成されることで、前記排水溝の底部の一部および前記排水口の少なくとも一部を覆う構成としたドラム式洗濯機。
【請求項２】
誘導体は、開口部を形成する側面のうち排水口を挟んで誘導面に対向する側面が、排水溝の上部から底部にかけて傾斜した傾斜面をなす請求項１記載のドラム式洗濯機。
【請求項３】
誘導体は、その後方が排水溝の後方と凹凸部により引掛けられ、その前方が前記排水溝に設けたねじ穴にねじ留めされることで、前記排水溝に固定されるようにした請求項１または２に記載のドラム式洗濯機。
【請求項４】
制御手段は、洗濯工程の初期において、回転ドラムを洗濯物が前記回転ドラムの内壁に張り付く程度の回転速度で回転させる洗濯泡生成工程を有し、前記洗濯泡生成工程における前記回転ドラムの回転方向は、脱水工程時における回転方向と逆方向とした請求項１〜３のいずれか１項に記載のドラム式洗濯機。
【手続補正２】
【補正対象書類名】明細書
【補正対象項目名】全文
【補正方法】変更
【補正の内容】
【発明の詳細な説明】
【技術分野】
【０００１】
本発明は回転ドラム内で衣類の洗濯などを行うドラム式洗濯機に関するものである。
【背景技術】
【０００２】
従来、この種のドラム式洗濯機は図７のように構成していた。以下その構成を説明する。
【０００３】
図７に示すように、ドラム１は、外周部に多数の通水孔２を全面に設け、水槽３内に回転自在に配設している。ドラム１の回転中心に回転軸４の一端を固定し、回転軸４の他端にドラムプーリー５を固定している。モータ６は、ベルト７によりドラムプーリー５と連結し、ドラム１を回転駆動する。ドラム１の開口部に蓋８を開閉自在に設けている。水槽３は、洗濯機本体９よりばね体１０で吊り下げ、防振ダンパー１１により脱水時の振動が洗濯機本体９に伝達されないように防振支持するとともに、脱水時の振動を低減する重り１２を設けている。給水弁１３は、水槽３内に洗濯水を給水するもので、排水ポンプ１４は、水槽３内の洗濯水を排水するものである。ヒータ１５は、水槽３内の洗濯水を加熱するものである。制御装置１６は、モータ６、給水弁１３、排水ポンプ１４、ヒータ１５などの動作を制御し、洗濯、すすぎ、脱水などの一連の工程を逐次制御する（例えば、特許文献１参照）。
【０００４】
以上のように構成されたドラム式洗濯機の動作を以下に説明する。
【０００５】
蓋８を開いてドラム１内に洗濯物を投入し、運転を開始すると、洗濯工程では、給水弁１３を駆動して水槽３内に洗濯水を給水する。洗濯水の水位が所定水位に達すると給水弁１３の駆動を停止し、給水を終了する。その後、ドラム１はモータ６によって低速で回転駆動され、ドラム１内の洗濯物は持ち上げられて水面上に落下される。こうして洗濯工程が進行する。洗濯工程を所定時間行った後、排水ポンプ１４を駆動して水槽３内の洗濯水を排水し、中間脱水を行い、その後のすすぎ工程を行う。そのすすぎ工程においても洗濯工程と同様の動作を行う。脱水工程では、ドラム１は高速で回転駆動され、洗濯物は遠心脱水される。
【特許文献１】特開平１０−２０１９８８号公報
【発明の開示】
【発明が解決しようとする課題】
【０００６】
しかしながら、このような従来の脱水制御では、上述のように、脱水運転の初期に低速回転又は間欠回転を行い、洗濯物に含まれる洗剤水を徐々に取り除くのであるが、排水ホースの引き回しや、洗濯物の種類による水の抜けやすさなどの様々な影響を受け、排水時に水槽の底部に水が溜まることを完全に防ぐことができないという問題を有していた。
【０００７】
また、排水条件や排水能力に関係する条件は、投入する洗剤の種類やその量、洗濯物に付着した汚れの種類など、そのときどきの洗濯の対象物や使用環境などによって大きく異なってくるため、それら各々の最悪の条件を想定した上での対策を取ることになる。そのため、実際には、低速回転又は間欠回転の時間が過剰になっていることが殆どであって、脱水所要時間の短縮化を阻むという問題を有していた。
【０００８】
また、洗濯工程でドラム内の洗濯物が絡み合った状態で脱水工程に入ると、脱水工程でドラム内の洗濯物が均等に分布しないためアンバランスが生じ、アンバランス状態で脱水を開始すると、水槽などの振動共振点に対応する回転数で大きな振動が発生し、その結果、水槽内の洗濯水が回転ドラムと接触しやすくなり、泡による起動不良状態になりやすくなると同時に、ドラムの回転数を振動共振点に対応する回転数より加速させることができず、所定のすすぎ性能、脱水性能が得られないという問題を有していた。
【０００９】
本発明は、上記従来の課題を解決するもので、泡による起動不良などの脱水時の問題を回避し、所定のすすぎ性能を確保しつつ、脱水時間の短縮を図ることができるドラム式洗濯機を提供することを目的としている。
【課題を解決するための手段】
【００１０】
本発明は上記目的を達成するために、本発明のドラム式洗濯機は、水槽内に回転自在に配設され、その回転中心軸が正面側から背面側に向けて水平から下向きに傾斜した回転ドラムと、前記水槽の内底部に設けられ前記回転中心軸方向に長い凹状の排水溝と、前記排水溝の背面側底部に設けた排水口と、前記回転ドラムを回転駆動するモータと、前記水槽内に洗濯水を給水する給水手段と、前記排水口と接続され前記水槽内の洗濯水を排水する排水手段と、前記モータ、給水手段および排水手段等を制御して洗濯、すすぎ、脱水等の各工程を実行する制御手段とを備え、前記排水溝には、前記排水溝の凹状をなす側面に沿ように前記回転中心軸方向に長く形成され脱水工程時において洗濯水を収集して前記排水口へ案内する誘導体を着脱可能に設け、前記誘導体は、前記水槽内から前記排水口へ連通する前記回転中心軸方向に長い開口部を有し、さらに前記開口部を形成する側面のうち前記排水口に対し脱水工程時における回転方向の下流側の側面が、前記排水溝の上部から底部にかけて設けられた壁部と、前記壁部の上端部から延設された鍔部とからなる誘導面をなし、前記鍔部が、前記回転中心軸方向に長く形成されることで、前記排水溝の底部の一部および前記排水口の少なくとも一部を覆う構成としたものである。
【００１１】
これにより、脱水工程時において、水槽内底部に洗濯水が溜まった場合や、水槽と回転ドラムの間に泡が充満した場合でも、洗濯水や泡を積極的に排水口へ導くことで排出し、その後、正常な脱水回転速度で脱水を実行することにより、所定のすすぎ性能、脱水性能を得ることができるドラム式洗濯機を提供するものである。
【発明の効果】
【００１２】
本発明のドラム式洗濯機は、脱水工程時において、水槽内底部に洗濯水が溜まった場合や、水槽と回転ドラムの間に泡が充満した場合でも、洗濯水や泡を積極的に排水口へ導くことで排出し、その後、正常な脱水回転速度で脱水を実行することにより、所定のすすぎ性能、脱水性能を得ることができる。
【発明を実施するための最良の形態】
【００１３】
第１の発明は、水槽内に回転自在に配設され、その回転中心軸が正面側から背面側に向けて水平から下向きに傾斜した回転ドラムと、前記水槽の内底部に設けられ前記回転中心軸方向に長い凹状の排水溝と、前記排水溝の背面側底部に設けた排水口と、前記回転ドラムを回転駆動するモータと、前記水槽内に洗濯水を給水する給水手段と、前記排水口と接続され前記水槽内の洗濯水を排水する排水手段と、前記モータ、給水手段および排水手段等を制御して洗濯、すすぎ、脱水等の各工程を実行する制御手段とを備え、前記排水溝には、前記排水溝の凹状をなす側面に沿ように前記回転中心軸方向に長く形成され脱水工程時において洗濯水を収集して前記排水口へ案内する誘導体を着脱可能に設け、前記誘導体は、前記水槽内から前記排水口へ連通する前記回転中心軸方向に長い開口部を有し、さらに前記開口部を形成する側面のうち前記排水口に対し脱水工程時における回転方向の下流側の側面が、前記排水溝の上部から底部にかけて設けられた壁部と、前記壁部の上端部から延設された鍔部とからなる誘導面をなし、前記鍔部が、前記回転中心軸方向に長く形成されることで、前記排水溝の底部の一部および前記排水口の少なくとも一部を覆う構成としたドラム式洗濯機とすることにより、脱水工程時において、水槽内底部に洗濯水が溜まった場合や、水槽と回転ドラムの間に泡が充満した場合でも、洗濯水や泡を排水溝に集めるとともに、排水口方向へ圧をかけて、積極的にかつ確実に排水口へ導くことで排出し、その後、正常な脱水回転速度で脱水を実行され、所定のすすぎ性能、脱水性能を得ることができる。
【００１４】
第２の発明は、特に、第１の発明の誘導体は、開口部を形成する側面のうち排水口を挟んで誘導面に対向する側面が、排水溝の上部から底部にかけて傾斜した傾斜面をなすことにより、脱水工程において、泡と洗濯水を排水溝に集めるとともに、泡と洗濯水を排水口方向へ圧をかけて整流させ、さらに積極的にかつ確実に排出させることができる。
【００１５】
第３の発明は、特に、第１または２の発明の誘導体は、その後方が排水溝の後方と凹凸部により引掛けられ、その前方が前記排水溝に設けたねじ穴にねじ留めされることで、前記排水溝に固定されるようにしたことにより、誘導体の水槽への装着の作業性を高めるとともに、壁部と鍔部と傾斜面の位置関係のばらつきをおさえることができ、脱水工程において、洗濯水を確実に排水させることができる。
【００１６】
第４の発明は、特に、第１〜３のいずれか１つの発明の制御手段は、洗濯工程の初期において、回転ドラムを洗濯物が前記回転ドラムの内壁に張り付く程度の回転速度で回転させる洗濯泡生成工程を有し、前記洗濯泡生成工程における前記回転ドラムの回転方向は、脱水工程時における回転方向と逆方向としたことにより、洗濯泡生成工程においては洗濯のための洗濯泡を確実に発生させることができ、脱水工程においては洗濯水を確実に排水させることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態に係るドラム式洗濯機の側断面図である。図１において、回転ドラム１７は、有底円筒形に形成され、外周部に多数の通水孔１８が全面に設けられて、水槽１９内に回転自在に配設されている。回転ドラム１７の回転中心に傾斜方向に回転軸（回転中心軸）２０が設けられ、回転ドラム１７の軸心方向は正面側から背面側に向けて下向きに傾斜させている。この回転軸２０に、水槽１９の背面に取り付けたモータ２１が連結され、モータ２１により回転ドラム１７が正転、逆転方向に回転駆動される。回転ドラム１７の内壁面には数個の突起板２２が設けられている。
【００１９】
水槽１９の正面側で本体２３の上向き傾斜面２３ａに設けた開口部２４を蓋体２５により開閉自在に覆い、この蓋体２５を開くことにより、開口部２４、水槽衣類出入口２６および回転ドラム衣類出入口２７を通して回転ドラム１７内に洗濯物を入れ、回転ドラム１７内から洗濯物を取り出せるようにしている。蓋体２５を上向き傾斜面２３ａに設けているため、使用者は洗濯物を出し入れする際に、腰を屈める具合を少なくして行うことができる。
【００２０】
水槽１９は、本体２３からばね体２８とダンパー２９により揺動可能に吊り下げられており、水槽１９の内底部には、回転軸２０の方向に長い凹状の排水溝３０を設けている。この排水溝３０の底部の背面側寄りには排水口３１を設けており、この排水口３１に排水経路３２の一端を接続し、排水経路３２の他端を排水弁（排水手段）３３に接続して、水槽１９内の洗濯水を排水するようにしている。給水弁（給水手段）３４は、洗剤ケース３５および給水経路３５ａを通して水槽１９内に洗濯水を給水するために、また、水位検知手段３６は、水槽１９内の水位を検知するために設けられている。
【００２１】
制御装置３７は、図２に示すように構成されており、マイクロコンピュータで構成した制御手段３８を有し、パワースイッチング手段３９を介してモータ２１、排水弁（ＤＶ）３３、給水弁（ＦＶ）３４などの動作を制御し、洗濯、すすぎ、脱水、乾燥の一連の工程を逐次制御する。
【００２２】
制御手段３８は、運転コース等を設定するための入力設定手段４０からの情報を入力して、その情報を基に表示手段４１で表示して使用者に知らせる。記憶手段４２は、制御手段３８により制御するのに必要なデータを記憶している。なお、４３は商用電源、４４は電源スイッチである。
【００２３】
図１に示すように、排水溝３０には、洗濯水を収集して排水口３１へ案内する誘導体４５を設けている。
【００２４】
図３（ａ）は、排水溝３０に設けた排水口３１近傍の断面図、図３（ｂ）は、同矢視図である。図において、回転ドラム１７の脱水工程時の回転方向は正面からみて時計回り（矢印Ａ）方向である。水槽１９の底部に設けた排水溝３０の内底部の排水口３１に近傍で、排水口３１に対して矢印Ａ（回転ドラム１７の脱水工程時の回転方向）の下流側に配設された誘導体４５の誘導面４６は、その上端が矢印Ａの上流側に傾斜するように形成されている。また、誘導面４６には、水槽１９の背面側との接続部である下方背面側に切欠き部４６ａが形成されている。これにより、誘導体４５の誘導面４６の背面側（矢印Ａの下流側）に残った洗濯水もこの切欠き４６ａを通り、排水口３１に達することができるので、排水溝３０への残水を極力抑えることができる。
【００２５】
上記構成においてその動作を説明する。扉２５を開いて回転ドラム１７内に洗濯物を投入し、洗剤ケース３５内に所定量の洗剤を投入した後、運転を開始させると、まず、洗濯工程を実行する。洗濯工程において、給水弁３４が動作して洗濯水が給水され、その洗濯水は洗剤投入ケース３５および給水経路３５ａを通り、洗剤とともに水槽１９内に入る。これと同時に、回転ドラム１７は、第１の所定回転速度（例えば、１２０ｒ／ｍｉｎ）で回転を開始する。この時の回転ドラム１７の回転方向は、正面からみて反時計回り（矢印Ｂ）方向である。
【００２６】
この動作により、洗剤を含んだ洗濯水は撹拌され、洗剤は徐々に洗濯水に溶け込んでいくと同時に、その洗濯水は、矢印Ｃのように、排水溝３０の側壁３０ａおよび誘導体４５の上面側に衝突する。その衝突により高濃度の洗剤成分を有する洗濯泡が発生し、その洗濯泡が回転ドラム１７と水槽１９の間に徐々に充満していく。その後、いっぱいになると、洗濯泡は、回転ドラム１７と水槽１９の前方に回り込み、回転ドラム衣類出入口２７から回転ドラム１７の内部に入り込み、その中の洗濯物に染み込むこととなる。
【００２７】
その後、回転ドラム１７の回転による遠心力により、その洗濯泡が、洗濯物に付着した汚れを取り込むことにより、洗濯物から汚れを引き剥がし、再度、回転ドラム１７の外周部の通水孔１８を通って、回転ドラム１７と水槽１９の間に出て行く。この動作を繰り返すことにより洗濯物を洗うこととなる。この動作を水槽１９内の水位が所定水位になるまで所定時間実行した後、回転ドラム１７の回転速度を、第２の所定回転速度（例えば、４０ｒ／ｍｉｎ）に変更し、正転、休止、反転、休止の動作を繰り返す洗濯動作を所定時間実行する。
【００２８】
なお、この時の回転ドラム１７の第２の所定回転速度での回転により、回転ドラム１７内に収容された洗濯物は回転ドラム１７の内周壁に設けられた突起板２２によって回転方向に持ち上げられ、持ち上げられた適当な高さ位置から落下する撹拌動作が繰り返されるので、洗濯物には叩き洗いの作用が及んで洗濯がなされる。
【００２９】
この洗濯動作を所定時間行った後、洗濯工程を終了し、第１排水工程を実行する。第１排水工程においては、排水弁３３が動作して、排水が実行される。この時、水槽１９内の洗濯水は、排水口３１、排水経路３２および排水弁３３を介して、機外に排水される。その後、第１脱水工程に移行する。
【００３０】
第１脱水工程においては、洗濯物に含まれた洗濯水を回転ドラム１７を第３の所定回転速度（例えば、９００ｒ／ｍｉｎ）まで立ち上げて、この第３の所定回転速度で所定時間回転させ、洗濯物に含まれた洗濯水を脱水する。この時の回転ドラム１７の回転方向は正面からみて時計回り（矢印Ａ）方向であるので、洗濯物から脱水された洗剤成分を含む洗濯水は、誘導体４５の誘導面４６に誘導されて、矢印Ｄのように、排水口３１に流れ込む。このように、第１脱水工程において、回転ドラム１７の高速での脱水回転の妨げとなる水槽１９の底部に溜まった洗濯水や、回転ドラム１７を高速で回転させることで回転ドラム１７と水槽１９の間に発生する洗濯泡を積極的に排水することができるので、回転ドラム１７の第３の所定回転速度までの立ち上げを円滑に実行することができる。
【００３１】
この第１脱水工程を所定時間行った後、給水弁３４が動作して、水槽１９内に洗剤投入ケース３５および給水経路３５ａを介して洗濯水が注水され、第１すすぎ工程が実施される。この第１すすぎ工程において、回転ドラム１７の回転速度を、第２の所定回転速度（例えば、４０ｒ／ｍｉｎ）に設定し、正転、休止、反転、休止の動作を繰り返し、洗濯物が回転ドラム１７の内周壁に設けられた突起板２２によって回転方向に持ち上げられ、持ち上げられた適当な高さ位置から落下する撹拌動作が繰り返されるすすぎ動作を所定時間実行する。
【００３２】
その後、第１排水工程と同様に第２排水工程が実行され、第１脱水工程と同様に第２脱水工程が実行された後、第１すすぎ工程と同様に第２すすぎ工程が実行される。さらに、第１排水工程および第２排水工程と同様に第３排水工程が実行され、第１脱水工程および第２脱水工程と同様に最終脱水工程が実行される。なお、この最終脱水工程における脱水時間は、第１脱水工程および第２脱水工程より長く設定してある。
【００３３】
本実施形態のように、回転ドラム１７を水平方向から傾斜させて配設した構成では、脱水時に衣類に含まれた洗濯水が、回転ドラム１７の透孔１８から抜け、水槽１９内の下方背面側に溜まることになり、このとき、脱水回転する回転ドラム１７の風圧や遠心力によって洗濯水や洗濯泡が水槽１９の下向き傾斜面を上向きに上昇して排水不良が生じることがあるが、上記構成になる誘導体４５を水槽１９の内底部に配設し、回転ドラム１７の脱水回転が始まり、高速回転になると、洗濯水と洗濯泡は回転ドラム１７の脱水回転方向へ力がかかった流れをなし、誘導体４５の誘導面４６が、その流れを受け止め、洗濯水と洗濯泡を積極的に排水口２９へと整流し、円滑に排水することができる。
【００３４】
また、誘導体４５の誘導面４６は、上方に凸となるように、湾曲面で構成しているので、洗濯水をさらに円滑に排水口２９に誘導することができる。
【００３５】
それによって、脱水工程時、洗濯泡による脱水起動不良状態を防止し、円滑に脱水を行うことにより、所定のすすぎ性能、脱水性能を実現させることが可能となる。
【００３６】
なお、本実施の形態では、給水の開始と同時に回転ドラム１７を第１の所定回転速度で回転させたが、給水開始後、水槽１９内の水位が所定水位に達した後、回転ドラム１７の回転を開始してもよい。
【００３７】
（実施の形態２）
図４（ａ）は、第２の実施形態における排水溝３０に設けた排水口４９ａおよび４９ｂ近傍の断面図、図４（ｂ）は、同矢視図である。排水口４９ａおよび４９ｂは、誘導体４７の誘導面４８を挟んで両側にそれぞれ設けられている。他の構成は、第１の実施形態と同じであり、同一符号を付して説明を省略する。
【００３８】
上記構成によると、誘導体４７の誘導面４８の背面側（矢印Ａの下流側）に残った洗濯水も排水口４９ｂにより確実に排水することができるので、排水溝３０への残水を極力抑えることができる。
【００３９】
また、洗濯工程、脱水工程における誘導体４７、誘導面４８および排水口４９ａの構成、作用、効果は、第１の実施の形態の誘導体４５、誘導面４６および排水口３１と同様であるので、説明は省略する。
【００４０】
このように、本実施例によれば、円滑に排水を実行するとともに、洗濯泡と洗濯水を圧を逃さず速やかに排水口へ導くことで、泡による脱水時の起動不良状態を防止し、速やかに脱水を行うことができるので、所定のすすぎ性能および脱水性能の確保、そして脱水時間の短縮を実現させることが可能となる。
【００４１】
（実施の形態３）
図５（ａ）は、排水溝３０に設けた排水口３１近傍の断面図、図５（ｂ）は、同矢視図である。誘導体５０の誘導面５１は、上方に凸となるように、湾曲面で形成され、誘導体５０の誘導面５１の底部は、排水口２９を分割するように配設され形成されている。また、水槽１９と排水溝３０との段差が円滑になるように、排水溝３０の側壁３０ａには、傾斜させた傾斜面５２を形成されている。他の構成は、第１の実施形態と同じであり、同一符号を付して説明を省略する。
【００４２】
上記構成になる誘導体５０は、誘導面５１が湾曲面で形成されることで、泡と洗濯水の乱流を抑えて整流することで、円滑に排水口２９へと導くことができる。さらに、水槽１９と排水溝３０との段差が円滑になるように、傾斜させた傾斜面５２によっても、洗濯泡と洗濯水の乱流を抑えて整流することができ、円滑に排水口２９へと導くことができる。
【００４３】
また、誘導面５１が、上方に凸となるように湾曲面で形成されていることから、誘導面５１の強度を増すことができ、脱水時に回転ドラム１７が高速回転した場合でも、風圧や洗濯水の遠心力に耐える構造となる。
【００４４】
また、誘導体５０が排水口２９を分割するように配設されていることから、誘導体５０の誘導面５１の背面側（矢印Ａの下流側）に残った洗濯水も排水口４９により確実に排水することができるので、排水溝３０への残水を極力抑えることができる。また、誘導面５１側に集まる排水するための風圧を逃がさずに、排水口２９に導くことができるので、速やかに洗濯水と洗濯泡を排水することができる。なお、湾曲面は、連続した複数の面で形成しても同様の効果を得ることができる。
【００４５】
また、洗濯工程、脱水工程における誘導体４７、誘導面４８および排水口４９ａの構成、作用、効果は、第１の実施の形態の誘導体４５、誘導面４６および排水口３１と同様であるので、説明は省略する。
【００４６】
このように、本実施例によれば、風圧や洗濯水の遠心力に耐える構造を実現しつつ、泡と洗濯水の乱流を抑えることで余分な泡立ちを抑え、かつ積極的に排水口へ導くことで、泡による脱水時の起動不良状態を防止し、速やかに脱水を行うことができるので、所定のすすぎ性能および脱水性能の確保、そして脱水時間の短縮を実現させることが可能となる。
【００４７】
（実施の形態４）
図６（ａ）は、排水溝３０に設けた排水口３１近傍に誘導体５３を取り付ける際の分解矢視図、図６（ｂ）は、排水溝３０に誘導体５３を取り付けた際の断面図である。
【００４８】
図において、誘導体５３は、排水溝３０に装着可能なように開口部５４を有する略直方体の形状をしている。誘導体５３の後方下部には、後方へ凸の凸部５５を左右に有している。排水溝３０の後方下部には、下方に凹部５６を形成するように、引掛け部５７を一体に形成している。誘導体５３を排水溝３０に取り付ける際、凸部５５を凹部５６に挿入し、凸部５５の上面を引掛け部５７の下面に引掛け、その後、誘導体の前方側は、排水溝３０の前方側に設けたねじ穴にねじで留めることにより固定する。また、誘導体５３には、その開口部５４に、排水口３１に対して矢印Ａ（回転ドラム１７の脱水工程時の回転方向）の下流側に配設された壁部５８と、壁部５８の上端部から略水平方向に延設された鍔部５９が形成されている。この鍔部５９は、排水口３１の少なくとも一部を覆うように形成されている。さらに、誘導体５３には、その開口部５４に、排水口３１を挟んで壁部５８の対向位置に、排水溝３０の上部から底部の排水口３１の近傍にかけて傾斜した傾斜面６０を一体に形成している。他の構成は、第１の実施形態と同じであり、同一符号を付して説明を省略する。
【００４９】
上記構成になる誘導体５０は、誘導面として壁部５８と鍔部５９とで構成され、また、水槽１９と排水溝３０との段差が円滑になるように、傾斜させた傾斜面６０も一体に形成されているので、誘導体５０の水槽１９への装着の作業性を高めるとともに、壁部５８、鍔部５９、傾斜面６０、排水溝３０および排水口３１の位置関係のばらつきをおさえることができ、また、脱水工程において、泡と洗濯水を排水溝に集めるとともに、泡と洗濯水を排水口方向へ圧をかけて整流させ、さらに積極的にかつ確実に排出させることができる。
【００５０】
なお、上記実施の形態１〜４では、回転ドラム１７の回転中心に傾斜方向に回転軸２０を設け、回転ドラム１７の軸心方向を正面側から背面側に向けて下向きに傾斜させているが、回転ドラム１７の回転中心に水平方向に回転軸２０を設け、回転ドラム１７の軸心方向を水平方向にしてもよい。
【００５１】
なお、上記実施の形態１〜３では、誘導体は、水槽１９と一体の構成としても、実施の形態４のように別部品による構成とすることもできる。
【産業上の利用可能性】
【００５２】
以上のように、本発明にかかるドラム式洗濯機は、脱水時に水槽内底部に洗濯水が溜まった場合や、水槽と回転ドラムの間に泡が充満した場合でも、泡と洗濯水を積極的に排水口へ導くことで、泡起動状態を防止し、脱水を行うことにより、所定のすすぎ性能、脱水性能を実現させることが可能となるので、洗濯性に優れたドラム式洗濯機の提供を図ることができる。
【図面の簡単な説明】
【００５３】
【図１】本発明の実施の形態１に係るドラム式洗濯機の側断面図
【図２】同ドラム式洗濯機のブロック回路図
【図３】（ａ）同ドラム式洗濯機の要部断面図（ｂ）同矢視図
【図４】（ａ）本発明の実施の形態２に係るドラム式洗濯機の要部断面図（ｂ）同矢視図
【図５】（ａ）本発明の実施の形態３に係るドラム式洗濯機の要部断面図（ｂ）同矢視図
【図６】（ａ）本発明の実施の形態４に係るドラム式洗濯機の要部矢視図（ｂ）同断面図
【図７】従来のドラム式洗濯機の側断面図
【符号の説明】
【００５４】
１７  回転ドラム
１９  水槽
２０  回転軸（回転中心軸）
２１  モータ
３１  排水口
３３  排水弁（排水手段）
３４  給水弁（給水手段）
３８  制御手段
４５  誘導体
４６  誘導面